(57)【要約】【課題】放射線検出パネルの保護が可能な放射線検出装置を提供する。【解決手段】電子カセッテ１は、放射線検出パネル２と、放射線検出パネル２を支持する支持部材３と、放射線検出パネル２及び支持部材３を収容する筐体４と、を備える。筐体４の裏側筐体５は、第一筐体部５１と、支持部材３を支持する第二筐体部５２と、第一筐体部５１と第二筐体部５２の間に配置された第一筐体部５１よりも剛性の低い中間部材５３と、を備える。筐体４の周縁部は第一筐体部５１によって構成されている。【選択図】図５
2019111093.tif 000002
【特許請求の範囲】
【請求項１】
放射線検出パネルと、
前記放射線検出パネルを支持する支持部材と、
前記放射線検出パネル及び前記支持部材を収容する筐体と、を備え、
前記筐体は、第一筐体部と、前記支持部材を支持する第二筐体部と、前記第一筐体部と前記第二筐体部の間に配置された前記第一筐体部よりも剛性の低い中間部材と、を備え、
前記筐体の周縁部が前記第一筐体部によって構成されている放射線検出装置。
【請求項２】
請求項１記載の放射線検出装置であって、
前記第二筐体部の剛性は、前記第一筐体部よりも低い放射線検出装置。
【請求項３】
請求項２記載の放射線検出装置であって、
前記第一筐体部は合金を含んで構成され、
前記第二筐体部は樹脂を含んで構成されている放射線検出装置。
【請求項４】
請求項１〜３のいずれか１項記載の放射線検出装置であって、
前記中間部材は、発砲体又は樹脂を基材とする両面テープである放射線検出装置。
【請求項５】
請求項１〜４のいずれか１項記載の放射線検出装置であって、
前記中間部材は、前記放射線検出パネルに垂直な方向から見た状態にて枠状に形成されている放射線検出装置。
【請求項６】
請求項１〜５のいずれか１項記載の放射線検出装置であって、
前記第二筐体部は、前記支持部材と前記第一筐体部の間に配置されている放射線検出装置。
【請求項７】
請求項１〜５のいずれか１項記載の放射線検出装置であって、
前記第一筐体部と前記第二筐体部は、前記筐体の放射線入射側とは反対側の背面を構成する露出面を含み、
前記第一筐体部の前記露出面と、前記第二筐体部の前記露出面とが同一平面上にある放射線検出装置。
【請求項８】
請求項１〜７のいずれか１項記載の放射線検出装置であって、
前記第二筐体部は複数に分割されている放射線検出装置。
【請求項９】
請求項１〜８のいずれか１項記載の放射線検出装置であって、
前記放射線検出パネルは、光検出基板とシンチレータとを含む放射線検出装置。
【請求項１０】
請求項９記載の放射線検出装置であって、
前記シンチレータは、前記光検出基板上に形成されたものである放射線検出装置。
【発明の詳細な説明】
【技術分野】
【０００１】
本発明は、放射線検出装置に関する。
【背景技術】
【０００２】
放射線としてＸ線を利用したＸ線撮影装置が知られている。Ｘ線撮影装置は、被写体である患者を透過したＸ線を検出し、検出したＸ線に基づくＸ線画像信号を生成するＸ線検出装置と、Ｘ線検出装置と通信するコンソールと、を有している。
【０００３】
Ｘ線検出装置には、専用の撮影室に設置された撮影台に固定される据え置き型と、持ち運び可能な筐体に放射線検出パネルが収容された可搬型とがある。
【０００４】
可搬型のＸ線検出装置は、電子カセッテと呼ばれ、フラットパネルディテクタ（ＦＰＤ；ｆｌａｔ  ｐａｎｅｌ  ｄｅｔｅｃｔｏｒ）とも呼ばれる放射線検出パネルと、Ｘ線画像信号を一時的に保存するメモリと、Ｘ線画像信号をコンソールに送信する通信部とを有する。
【０００５】
電子カセッテは、その機動性を活かして、撮影室以外に持ち出されて使用される。例えば撮影室に赴くことができない患者がいる病室を巡回してＸ線撮影を行う回診撮影の際に使用される。また、電子カセッテは、医療施設外で使用されることもある。電子カセッテは、その使用形態から、局所的な衝撃を受けることが多い。
【０００６】
特許文献１と特許文献２には、放射線検出パネルと、放射線検出パネルを背面側から支持する支持部材と、これらを収容する筐体と、を備えるＸ線検出装置が記載されている。
【先行技術文献】
【特許文献】
【０００７】
【特許文献１】特開２０１２−１７７８７０号公報
【特許文献２】特開２００９−０５８７３３号公報
【発明の概要】
【発明が解決しようとする課題】
【０００８】
Ｘ線検出装置に含まれる放射線検出パネルは筐体によって支持される。Ｘ線検出装置は、耐落下性能（筐体の破損を防ぐ性能）を考慮すると、金属等の剛性の高い材料によって筐体を構成するのが好ましい。しかし、筐体の剛性が高いと、Ｘ線検出装置が落下したときに受ける衝撃が放射線検出パネルに伝達し、放射線検出パネルの破損につながりかねない。
【０００９】
特許文献１，２には、Ｘ線検出装置の筐体を樹脂によって構成することが記載されている。この構成によれば、放射線検出パネルへの衝撃の伝達を減らせるが、装置の耐落下性能を確保することが難しい。
【００１０】
本発明は、上記事情に鑑みてなされたものであり、放射線検出パネルの保護が可能な放射線検出装置を提供することを目的とする。
【課題を解決するための手段】
【００１１】
本発明の放射線検出装置は、放射線検出パネルと、上記放射線検出パネルを支持する支持部材と、上記放射線検出パネル及び上記支持部材を収容する筐体と、を備え、上記筐体は、第一筐体部と、上記支持部材を支持する第二筐体部と、上記第一筐体部と上記第二筐体部の間に配置された上記第一筐体部よりも剛性の低い中間部材と、を備え、上記筐体の周縁部が上記第一筐体部によって構成されているものである。
【発明の効果】
【００１２】
本発明によれば、放射線検出パネルの保護が可能な放射線検出装置を提供することができる。
【図面の簡単な説明】
【００１３】
【図１】本発明の放射線検出装置の一実施形態である電子カセッテ１の概略構成を示す図である。
【図２】図１に示す電子カセッテ１を裏側筐体５側から見た平面図である。
【図３】図１に示す電子カセッテ１の裏側筐体５を支持部材３側から見た平面図である。
【図４】図２に示す電子カセッテ１のＡ−Ａ線の断面模式図である。
【図５】図２に示す電子カセッテ１のＢ−Ｂ線の断面模式図である。
【図６】図１に示す電子カセッテ１の変形例である電子カセッテ１Ａを裏側筐体５側から見た平面図である。
【図７】図６に示す電子カセッテ１ＡのＤ−Ｄ線の断面模式図である。
【図８】図６に示す電子カセッテ１ＡのＥ−Ｅ線の断面模式図である。
【図９】図１に示す電子カセッテ１の変形例である電子カセッテ１Ｂを裏側筐体５側から見た平面図である。
【図１０】図９に示す電子カセッテ１ＢのＧ−Ｇ線の断面模式図である。
【図１１】図９に示す電子カセッテ１ＢのＨ−Ｈ線の断面模式図である。
【図１２】図１に示す電子カセッテ１の変形例である電子カセッテ１Ｃを裏側筐体５側から見た平面図である。
【図１３】図１２に示す電子カセッテ１ＣのＪ−Ｊ線の断面模式図である。
【図１４】図１２に示す電子カセッテ１ＣのＫ−Ｋ線の断面模式図である。
【図１５】図１に示す電子カセッテ１の裏側筐体５の変形例である裏側筐体５Ａを示す図である。
【図１６】図１に示す電子カセッテ１の裏側筐体５の変形例であり、図４に対応する断面図である。
【図１７】図１に示す電子カセッテ１の裏側筐体５の変形例であり、図４に対応する断面図である。
【発明を実施するための形態】
【００１４】
以下、本発明の実施形態について図面を参照して説明する。
【００１５】
図１は、本発明の放射線検出装置の一実施形態である電子カセッテ１の概略構成を示す図である。
【００１６】
電子カセッテ１は、放射線検出パネル２と、放射線検出パネル２を背面側（Ｘ線入射側と反対側）から支持する支持部材３と、これらを収容する直方体形状をした可搬型の筐体４と、を備える。
【００１７】
筐体４は、Ｘ線入射側に配置された表側筐体６と、表側筐体６に嵌合されＸ線入射側と反対側に配置された裏側筐体５と、を備える。表側筐体６は、耐荷重性に加えて軽量化を両立可能な材料を用いると望ましく、例えば、比重が３．０以下でかつヤング率が１．８Ｇｐａ以上を満たす、マグネシウム合金、アルミニウム合金、繊維強化樹脂、ＣＮＦ（セルロースナノファイバー）強化樹脂、又は樹脂等の材料によって形成される。
【００１８】
筐体４は、例えば、国際規格ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）４０９０：２００１に準拠した大きさである。筐体４の表面４ａには矩形状の開口が形成されている。この開口には、放射線としてのＸ線に対して透過性を有する透過板７が取り付けられている。
【００１９】
電子カセッテ１は、筐体４の表面４ａの反対側の背面４ｂが例えば台等に接触され、図示省略のＸ線源に表面４ａが対向する姿勢で位置決めされ、表面４ａの上方から被検者を介してＸ線が照射されて使用される。
【００２０】
放射線検出パネル２は、シンチレータ２１と光検出基板２２とで構成される。シンチレータ２１と光検出基板２２は、Ｘ線が入射する表面４ａ側からみてシンチレータ２１、光検出基板２２の順に積層されている。
【００２１】
シンチレータ２１は、ＣｓＩ：Ｔｌ（タリウム賦活ヨウ化セシウム）又はＧＯＳ（Ｇｄ２Ｏ２Ｓ：Ｔｂ、テルビウム賦活ガドリウムオキシサルファイド）等の蛍光体を有し、透過板７を介して入射したＸ線を可視光に変換して放出する。シンチレータ２１は、光検出基板２２上に蒸着等によって形成されている。
【００２２】
なお、Ｘ線が入射する表面４ａ側からみて光検出基板２２、シンチレータ２１の順に積層した放射線検出パネルが用いられてもよい。
【００２３】
また、アモルファスセレン等の光導電膜により、Ｘ線を信号電荷に直接変換する直接変換型の放射線検出パネルを用いてもよい。
【００２４】
光検出基板２２は、シンチレータ２１から放出された可視光を検出して画像信号に変換する。
【００２５】
電子カセッテ１の筐体４内には、上記の構成部品の他に回路基板及び電力供給部としてのバッテリ等が収容されている。
【００２６】
筐体４に収容される回路基板には、光検出基板２２の駆動を制御する回路、光検出基板２２から出力された画像信号を処理する回路、半導体メモリ、外部との通信を行うための通信インタフェース、及び電源回路等が形成されている。
【００２７】
筐体４に収容されるバッテリは、例えば充電可能な１つ又は複数の二次電池で構成される。このバッテリは、電子カセッテ１の各部に電力を供給する。
【００２８】
支持部材３は、放射線検出パネル２を支持する部材であり、アルミニウム合金、マグネシウム合金、又は炭素繊維強化樹脂等の剛性の高い材料が利用可能である。
【００２９】
支持部材３は、放射線検出パネル２の撮影面に平行な平板状の部材であり、放射線検出パネル２のＸ線の入射側とは反対側の面に対して、例えば、発砲体又は樹脂等の柔軟性の高い材料を基材とする両面テープ等で接着されている。支持部材３は、筐体４によって支持されている。
【００３０】
図２は、図１に示す電子カセッテ１を裏側筐体５側から見た平面図である。図３は、図１に示す電子カセッテ１の裏側筐体５を支持部材３側から見た平面図である。図４は、図２に示す電子カセッテ１のＡ−Ａ線の断面模式図である。図５は、図２に示す電子カセッテ１のＢ−Ｂ線の断面模式図である。なお、図２に示す電子カセッテ１のＣ−Ｃ線の断面模式図は図５と同じである。
【００３１】
図２及び図３に示すように、裏側筐体５は、中央に矩形の開口部が形成された矩形枠状の第一筐体部５１と、第一筐体部５１の開口部５１ｈ（図４参照）よりも小さい矩形の開口部５２ｈ（図４参照）が中央に形成された矩形枠状の第二筐体部５２と、第一筐体部５１の開口部５１ｈに嵌め込まれてこの開口部５１ｈを塞ぐカバー部５４と、第一筐体部５１と第二筐体部５２の間に配置されてこれらを接合する中間部材５３（図２〜４参照）と、を備える。
【００３２】
第一筐体部５１は、表側筐体６と嵌合される部分であり、表側筐体６と同様に、耐荷重性に加えて軽量化を両立可能な材料を用いると望ましく、例えば、比重が３．０以下でかつヤング率が１．８Ｇｐａ以上を満たす、マグネシウム合金、アルミニウム合金、繊維強化樹脂、ＣＮＦ（セルロースナノファイバー）強化樹脂、又は樹脂等の材料によって形成される。
【００３３】
第一筐体部５１と表側筐体６は、裏側筐体５の周縁部を構成している。つまり、地面等に落下したときに衝撃を受けやすい筐体４の４つの角部は、高剛性の第一筐体部５１及び表側筐体６によって構成されている。第一筐体部５１及び表側筐体６によって第一筐体部が構成される。
【００３４】
第一筐体部５１の開口部５１ｈは、筐体４に内蔵されるバッテリを取り出すために設けられている。図４に示した開口部５１ｈ及び開口部５２ｈによって形成される筐体４内部の空間には、図示省略のバッテリを収容する収容部が形成されている。
【００３５】
電子カセッテ１の使用時には、この開口部５１ｈがカバー部５４によって塞がれることで、この収容部が塞がれた状態となる。カバー部５４は、例えば第一筐体部５１と同じ材料によって構成されている。第一筐体部５１の外側の面と、カバー部５４の外側の面とによって、筐体４の背面４ｂ（図１参照）が構成されている。
【００３６】
図３〜図５に示すように、第二筐体部５２は、第一筐体部５１における支持部材３側の内面５１ｂに中間部材５３によって接合されている。すなわち、第二筐体部５２は、第一筐体部５１と支持部材３との間に配置されている。第二筐体部５２は、例えば、合成樹脂又はゴム等の樹脂材料等によって構成されており、第一筐体部５１よりも剛性が低くなっている。本明細書における剛性とは、ヤング率の大きさによって定義される。
【００３７】
第二筐体部５２は、その開口部５２ｈの中心が第一筐体部５１の開口部５１ｈの中心と重なるように配置されている。
【００３８】
図２、図３、及び図５に示すように、第二筐体部５２の支持部材３と対向する面には、６つの凹部５２ｏが形成されている。
【００３９】
図５に示すように、支持部材３の第二筐体部５２の各凹部５２ｏと対向する位置には突起部３ａが形成されている。この突起部３ａは、第二筐体部５２の凹部５２ｏに嵌合されており、これにより、支持部材３が第二筐体部５２によって支持されている。
【００４０】
なお、第二筐体部５２と支持部材３が接着剤等によって接着されたり、ネジ止めされたりすることで、第二筐体部５２が支持部材３を支持する構成であってもよい。
【００４１】
支持部材３は、第二筐体部５２のみによって支持されており、第一筐体部５１及び表側筐体６に接触する部分を有していない。また、放射線検出パネル２は、支持部材３のみによって支持されており、筐体４に接触する部分を有していない。また、第二筐体部５２は、カバー部５４が装着された状態においては、外部に露出する部分を有していない。
【００４２】
図３に示すように、中間部材５３は、第二筐体部５２の４辺に沿った枠状に形成されている。
【００４３】
中間部材５３は、例えば、発砲体又は樹脂等の柔軟性の高い材料を基材とする両面テープ、或いは、樹脂等の柔軟性の高い材料によって構成された接着剤等によって構成されている。このように、中間部材５３は柔軟性の高い材料を含んでおり、中間部材５３の剛性は、第一筐体部５１の剛性よりも低くなっている。
【００４４】
以上のように構成された電子カセッテ１が地面に落下して、筐体４の周縁部を構成する第一筐体部５１に衝撃が加わった場合を想定する。この場合には、その衝撃力は、第一筐体部５１、中間部材５３、第二筐体部５２、支持部材３、支持部材３と放射線検出パネル２を接着する両面テープ、放射線検出パネル２の順に伝達する。
【００４５】
ここで、中間部材５３は、第一筐体部５１よりも剛性が低い。このため、第一筐体部５１に加わった衝撃力は、この中間部材５３によって減衰され、その後、第二筐体部５２、支持部材３、及び両面テープを経由して放射線検出パネル２に伝達される。したがって、放射線検出パネル２に伝わる力を減らすことができ、放射線検出パネル２（特にシンチレータ２１）の耐久性を向上させることができる。シンチレータ２１として、光検出基板２２に対し蒸着によって直接形成した柱状シンチレータを用いる場合には、上記のように放射線検出パネル２に伝わる衝撃が減ることで、シンチレータ２１の破損を効果的に防ぐことができ、製品の信頼性を高めることができる。
【００４６】
また、電子カセッテ１では、筐体４の周縁部が剛性の高い表側筐体６及び第一筐体部５１によって構成されている。このため、この周縁部に衝撃が加わった場合でも、筐体４の破損を防ぐことができる。したがって、耐落下性能を十分に確保することができる。
【００４７】
また、電子カセッテ１では、第二筐体部５２の剛性が第一筐体部５１よりも低くなっている。このため、第二筐体部５２として第一筐体部５１よりも軽量な材料を採用することができ、電子カセッテ１の軽量化が可能になる。
【００４８】
また、第二筐体部５２の剛性が第一筐体部５１よりも低いことで、落下時の衝撃力を第二筐体部５２によって更に減衰させることができる。この結果、放射線検出パネル２の耐久性を向上させることができる。
【００４９】
なお、第二筐体部５２の剛性は、第一筐体部５１と同じかそれ以上であってもよい。第一筐体部５１に加わった衝撃力は、中間部材５３によって減衰されてから第二筐体部５２に伝わる。このため、この構成であっても、放射線検出パネル２の破損を十分に防ぐことができる。
【００５０】
また、電子カセッテ１の第二筐体部５２は、カバー部５４が装着された状態においては、外部に露出する部分を有していない。このため、外部からの衝撃が第二筐体部５２に直に加わることはなく、放射線検出パネル２の耐久性を向上させることができる。第二筐体部５２の剛性が第一筐体部５１の剛性と同じかそれ以上である場合には、第二筐体部５２が外部に露出する部分を持たない構成が特に有効となる。
【００５１】
また、電子カセッテ１では、中間部材５３が枠状に形成されている。このため、中間部材５３として例えば防水性能を持つ両面テープ又は接着剤を用いることで、電子カセッテ１の防水性能を向上させることができる。
【００５２】
なお、中間部材５３に用いる材料としては、２５％圧縮荷重が０．０２ＭＰａ以上１．３７ＭＰａ以下のものが好ましく用いられる。また、中間部材５３の放射線検出パネル２の撮像面に平行な方向の幅は、２ｍｍ以上１０ｍｍ未満とされるのが好ましい。また、中間部材５３の放射線検出パネル２の撮像面に垂直な方向の厚みは、０．２５ｍｍ以上２．０ｍｍ未満とされるのが好ましい。これらの構成とすることで、中間部材５３自体の強度を確保しながら、衝撃力の吸収効果を高めることができる。
【００５３】
なお、衝撃の吸収効果を高める観点では、中間部材５３の幅の下限値は２ｍｍ未満としてもよい。しかし、中間部材５３に防水性能を持たせる場合には、この幅の下限値を２ｍｍ以上とすることで、十分な防水機能を得ることができる。
【００５４】
図６は、図１に示す電子カセッテ１の変形例である電子カセッテ１Ａを裏側筐体５側から見た平面図である。図７は、図６に示す電子カセッテ１ＡのＤ−Ｄ線の断面模式図である。図８は、図６に示す電子カセッテ１ＡのＥ−Ｅ線の断面模式図である。なお、図６に示す電子カセッテ１ＡのＦ−Ｆ線の断面模式図は図８と同じである。
【００５５】
電子カセッテ１Ａが電子カセッテ１と大きく異なるのは、第二筐体部５２の一部が外部に露出して、筐体４の背面４ｂの一部を構成している点である。
【００５６】
図７に示すように、電子カセッテ１Ａの第二筐体部５２の断面形状は、支持部材３と反対側に向かって凸となる凸形状となっている。第二筐体部５２の凸状部分は、第一筐体部５１の開口部５１ｈに挿通されており、この凸状部分の頂面は外部に露出する露出面５２ａを形成している。電子カセッテ１Ａの第二筐体部５２の開口部５２ｈにはカバー部５４が嵌め込まれており、これによりバッテリの収容部が閉じられている。
【００５７】
図７及び図８に示すように、第一筐体部５１の外側に露出する露出面５１ａと、第二筐体部５２の外側に露出する露出面５２ａは同一平面上に形成されている。２つの面が同一平面にあるとは、放射線検出パネル２の撮像面に垂直な方向におけるこの２つの面の位置の差がゼロであることを意味する。なお、この位置の差には公差が含まれていてもよい。
【００５８】
電子カセッテ１と同様に、電子カセッテ１Ａの第二筐体部５２及び第一筐体部５１は、平面視の形状が枠状となる中間部材５３によって接合されている（図６参照）。
【００５９】
また、電子カセッテ１と同様に、電子カセッテ１Ａの第二筐体部５２は支持部材３を支持している。具体的には、電子カセッテ１Ａの第二筐体部５２の支持部材３側の面には凹部５２ｏが形成されており、この凹部５２ｏに支持部材３の突起部３ａが嵌合されている（図８参照）。
【００６０】
以上のように構成された電子カセッテ１Ａは、第一筐体部５１の露出面５１ａと、第二筐体部５２の露出面５２ａとが同一平面上に形成されており、これらの露出面によって筐体４の背面４ｂが構成されている。
【００６１】
この構成によれば、第二筐体部５２の露出面５２ａが台等に接触した状態で電子カセッテ１Ａが使用される。このため、表側筐体６側から筐体４に荷重がかかった場合に、この荷重を第二筐体部５２と台とで受けることができ、耐荷重性能を向上させることができる。また、露出面５１ａと露出面５２ａの段差がほぼなくなることで、電子カセッテ１Ａの検査台への設置時に引っ掛かりが生じにくくなり、使い勝手を向上させることができる。
【００６２】
また、電子カセッテ１Ａによれば、中間部材５３に防水機能を持たせることで、第一筐体部５１と第二筐体部５２の隙間から水分が筐体４内部に侵入するのを防ぐことができ、防水性能を向上させることができる。
【００６３】
図９は、図１に示す電子カセッテ１の変形例である電子カセッテ１Ｂを裏側筐体５側から見た平面図である。図１０は、図９に示す電子カセッテ１ＢのＧ−Ｇ線の断面模式図である。図１１は、図９に示す電子カセッテ１ＢのＨ−Ｈ線の断面模式図である。なお、図９に示す電子カセッテ１ＢのＩ−Ｉ線の断面模式図は図１１と同じである。
【００６４】
電子カセッテ１Ｂが電子カセッテ１と大きく異なるのは、第二筐体部５２の一部が外部に露出して、筐体４の背面４ｂの一部を構成している点である。
【００６５】
図１０及び図１１に示すように、電子カセッテ１Ｂの第一筐体部５１の断面形状は、支持部材３側に向かって凸となる凸形状となっている。電子カセッテ１Ｂの第一筐体部５１は、支持部材３側に突き出た部分に開口部５１ｈを有している。
【００６６】
電子カセッテ１Ｂの第二筐体部５２は、筐体４の背面４ｂ側から見たときの第一筐体部５１の窪み部分に配置されており、支持部材３側と反対側が外部に露出する露出面５２ａとなっている。電子カセッテ１Ｂの第二筐体部５２の開口部５２ｈにはカバー部５４が嵌め込まれており、これによりバッテリの収容部が閉じられている。
【００６７】
電子カセッテ１Ｂの第二筐体部５２は、電子カセッテ１と同様に、枠状に形成された中間部材５３によって第一筐体部５１に接合されている（図９参照）。
【００６８】
図１０及び図１１に示すように、電子カセッテ１Ｂは、第一筐体部５１の外側に露出する露出面５１ａと、第二筐体部５２の外側に露出する露出面５２ａとが同一平面上に形成されている。
【００６９】
電子カセッテ１と同様に、電子カセッテ１Ｂの第二筐体部５２は支持部材３を支持している。具体的には、電子カセッテ１Ｂの第二筐体部５２の支持部材３側の面には凹部５２ｏが形成されており、この凹部５２ｏに支持部材３の突起部３ａが嵌合されている（図１１参照）。
【００７０】
以上のように構成された電子カセッテ１Ｂは、第一筐体部５１の露出面５１ａと、第二筐体部５２の露出面５２ａとが同一平面上に形成されており、これらの面によって筐体４の背面４ｂが構成されている。このため、電子カセッテ１Ａと同様の効果を得ることができる。
【００７１】
図１２は、図１に示す電子カセッテ１の変形例である電子カセッテ１Ｃを裏側筐体５側から見た平面図である。図１３は、図１２に示す電子カセッテ１ＣのＪ−Ｊ線の断面模式図である。図１４は、図１２に示す電子カセッテ１ＣのＫ−Ｋ線の断面模式図である。なお、図１２に示す電子カセッテ１ＣのＬ−Ｌ線の断面模式図は図１４と同じである。
【００７２】
電子カセッテ１Ｃが電子カセッテ１と大きく異なるのは、第二筐体部５２が外部に露出して、筐体４の背面４ｂの一部を構成している点である。
【００７３】
図１３及び図１４に示すように、電子カセッテ１Ｃの第二筐体部５２は、第一筐体部５１の開口部５１ｈ内に配置されている。電子カセッテ１Ｃの第二筐体部５２の開口部５２ｈにはカバー部５４が嵌め込まれており、これによりバッテリの収容部が閉じられている。
【００７４】
電子カセッテ１Ｃの第一筐体部５１と第二筐体部５２の間には、図１２に示すように、平面視の形状が枠状の中間部材５３が形成されている。この中間部材５３によって、電子カセッテ１Ｃの第一筐体部５１と第二筐体部５２が接合されている。
【００７５】
図１３及び図１４に示すように、電子カセッテ１Ｃの第一筐体部５１の外側に露出する露出面５１ａと、電子カセッテ１Ｃの第二筐体部５２の外側に露出する露出面５２ａは同一平面上に形成されている。
【００７６】
電子カセッテ１と同様に、電子カセッテ１Ｃの第二筐体部５２は支持部材３を支持している。具体的には、電子カセッテ１Ｃの第二筐体部５２の支持部材３側の面には凹部５２ｏが形成されており、この凹部５２ｏに支持部材３の突起部３ａが嵌合されている（図１４参照）。
【００７７】
以上のように構成された電子カセッテ１Ｃは、第一筐体部５１の露出面５１ａと、第二筐体部５２の露出面５２ａとが同一平面上に形成されており、これらの露出面によって筐体４の背面４ｂが構成されている。この構成によれば、電子カセッテ１Ａと同様の効果を得ることができる。
【００７８】
なお、電子カセッテ１Ａ，１Ｂ，１Ｃは、第二筐体部５２の一部が外部に露出する構成である。電子カセッテ１Ａ，１Ｂ，１Ｃが落下したときに筐体４が衝撃を受けるのは主に周縁部であり、この周縁部は剛性の高い表側筐体６及び第一筐体部５１によって構成されている。したがって、電子カセッテ１Ａ，１Ｂ，１Ｃの構成であっても、落下時の衝撃から放射線検出パネル２を保護することは十分に可能である。
【００７９】
図１５は、図１に示す電子カセッテ１の裏側筐体５の変形例である裏側筐体５Ａを示す図であり、裏側筐体５Ａを支持部材３側から見た平面図である。
【００８０】
裏側筐体５Ａは、第二筐体部５２が板状の第二筐体部５２Ａと板状の第二筐体部５２Ｂの２つによって構成されている点、第二筐体部５２Ａと第一筐体部５１が枠状の中間部材５３Ａによって接合されている点、第二筐体部５２Ｂと第一筐体部５１が枠状の中間部材５３Ｂによって接合されている点、を除いては、電子カセッテ１の裏側筐体５と同じ構成である。
【００８１】
このように、支持部材３を支持するための凹部５２ｏを形成すべき位置に限定して第二筐体部５２Ａと第二筐体部５２Ｂを配置することで軽量化を図ることができる。この第二筐体部を分割する構成は、電子カセッテ１Ａ〜１Ｃにも同様に適用可能であり、この場合には、筐体４における第一筐体部５１の面積を増やすことができるため、筐体４の強度を高めることができる。
【００８２】
図１６及び図１７は、図１に示す電子カセッテ１の裏側筐体５の変形例であり、図４に対応する断面図である。
【００８３】
図１６及び図１７に示す構成例では、第一筐体部５１に、第一筐体部５１と同じ材料で構成された部材５１０がネジ５１１によって固定されている。そして、部材５１０と第一筐体部５１とで挟まれる空間には一対の中間部材５３が配置され、この一対の中間部材５３に第二筐体部５２が挟み込まれて固定されている。このような構成であっても、図１の電子カセッテ１と同じ効果をえることができる。
【００８４】
以上説明してきたように、本明細書には以下の事項が開示されている。
【００８５】
（１）
放射線検出パネルと、
上記放射線検出パネルを支持する支持部材と、
上記放射線検出パネル及び上記支持部材を収容する筐体と、を備え、
上記筐体は、第一筐体部と、上記支持部材を支持する第二筐体部と、上記第一筐体部と上記第二筐体部の間に配置された上記第一筐体部よりも剛性の低い中間部材と、を備え、
上記筐体の周縁部が上記第一筐体部によって構成されている放射線検出装置。
【００８６】
（２）
（１）記載の放射線検出装置であって、
上記第二筐体部の剛性は、上記第一筐体部よりも低い放射線検出装置。
【００８７】
（３）
（２）記載の放射線検出装置であって、
上記第一筐体部は合金を含んで構成され、
上記第二筐体部は樹脂を含んで構成されている放射線検出装置。
【００８８】
（４）
（１）〜（３）のいずれか１つに記載の放射線検出装置であって、
上記中間部材は、発砲体又は樹脂を基材とする両面テープである放射線検出装置。
【００８９】
（５）
（１）〜（４）のいずれか１つに記載の放射線検出装置であって、
上記中間部材は、上記放射線検出パネルに垂直な方向から見た状態にて枠状に形成されている放射線検出装置。
【００９０】
（６）
（１）〜（５）のいずれか１つに記載の放射線検出装置であって、
上記第二筐体部は、上記支持部材と上記第一筐体部の間に配置されている放射線検出装置。
【００９１】
（７）
（１）〜（５）のいずれか１つに記載の放射線検出装置であって、
上記第一筐体部と上記第二筐体部は、上記筐体の放射線入射側とは反対側の背面を構成する露出面を含み、
上記第一筐体部の上記露出面と、上記第二筐体部の上記露出面とが同一平面上にある放射線検出装置。
【００９２】
（８）
（１）〜（７）のいずれか１つに記載の放射線検出装置であって、
上記第二筐体部は複数に分割されている放射線検出装置。
【００９３】
（９）
（１）〜（８）のいずれか１つに記載の放射線検出装置であって、
上記放射線検出パネルは、光検出基板とシンチレータとを含む放射線検出装置。
【００９４】
（１０）
（９）記載の放射線検出装置であって、
上記シンチレータは、上記光検出基板上に形成されたものである放射線検出装置。
【産業上の利用可能性】
【００９５】
本発明は、Ｘ線撮影装置等に適用して利便性が高く、有効である。
【符号の説明】
【００９６】
１、１Ａ、１Ｂ、１Ｃ  電子カセッテ
２  放射線検出パネル
２１  シンチレータ
２２  光検出基板
３  支持部材
３ａ  突起部
４  筐体
４ａ  表面
４ｂ  背面
５、５Ａ  裏側筐体
５１  第一筐体部
５１ａ  露出面
５１ｂ  内面
５１ｈ  開口部
５２、５２Ａ、５２Ｂ  第二筐体部
５２ａ  露出面
５２ｏ  凹部
５２ｈ  開口部
５３、５３Ａ、５３Ｂ  中間部材
５４  カバー部
６  表側筐体
７  透過板
５１０  部材
５１１  ネジ
【図１】
2019111093.tif 000003
【図２】
2019111093.tif 000004
【図３】
2019111093.tif 000005
【図４】
2019111093.tif 000006
【図５】
2019111093.tif 000007
【図６】
2019111093.tif 000008
【図７】
2019111093.tif 000009
【図８】
2019111093.tif 000010
【図９】
2019111093.tif 000011
【図１０】
2019111093.tif 000012
【図１１】
2019111093.tif 000013
【図１２】
2019111093.tif 000014
【図１３】
2019111093.tif 000015
【図１４】
2019111093.tif 000016
【図１５】
2019111093.tif 000017
【図１６】
2019111093.tif 000018
【図１７】
2019111093.tif 000019